(57)【要約】【課題】  同一方向の音声信号に対するエコー除去を行うエコーキャンセラを有する通信装置が、通話路上に複数介在していても、音声信号の良好な品質を実現できる通信システムを提供する。【解決手段】  第１の通信装置は、通話路確立を行う端末間では、通話路上にエコーキャンセラを有する通信装置が複数介在することを判断すると、自己が搭載するエコーキャンセラを停止させると共に、逆方向のエコー成分を除去する第２の通信装置に対し、その第２の通信装置が搭載しているエコーキャンセラの停止要求を送出する。第２の通信装置は、停止要求の受信により、自己のエコーキャンセラも停止させる。【選択図】      図１
2005184256.tif 000002
【特許請求の範囲】
【請求項１】
同一方向の音声信号に対するエコー除去を行うエコーキャンセラを有する通信装置が、通話路上に複数介在し得る通信システムにおいて、
通話路確立を行う端末間では通話路上にエコーキャンセラを有する通信装置が複数介在することを判断して自己が搭載するエコーキャンセラを停止させると共に、逆方向のエコー成分を除去する他の通信装置に対し、その他の通信装置が搭載しているエコーキャンセラの停止要求を送出する第１の通信装置と、
上記第１の通信装置からの停止要求の受信により、自己のエコーキャンセラを停止させる第２の通信装置と
を有することを特徴とする通信システム。
【請求項２】
上記第１の通信装置が、網から見て、上記第２の通信装置より端末側の装置であることを特徴とする請求項１に記載の通信システム。
【請求項３】
上記端末間の通信に供する網が、ＶｏＩＰ網であることを特徴とする請求項１又は２に記載の通信システム。
【発明の詳細な説明】
【技術分野】
【０００１】
本発明は通信システムに関し、例えば、通信経路上に、音声信号をＩＰパケットで伝送するＶｏＩＰ区間が音声信号をアナログ音声信号で伝送するアナログ区間を挟んで存在する通信システムに適用し得るものである。
【背景技術】
【０００２】
近年、普及しているＶｏＩＰ技術は、音声信号をＩＰパケット化することにより、データ及び音声を統合し、ネットワークコストや通信コストを下げることで普及しており、ブロードバンドのＶｏＩＰ網を利用して通話に供する端末間の接続形態も多様である。
【０００３】
例えば、図２に示すように、一方は、公衆電話網用の電話機（以下、一般電話機と呼ぶ）１がＩＳＤＮ接続装置２及びＶｏＩＰ網接続装置３を介してＶｏＩＰ網７に接続され、他方は、無線ＩＰ端末４がＩＰ端末収容装置５に収容され、このＩＰ端末収容装置５がＶｏＩＰ網接続装置６を介してＶｏＩＰ網７に接続される接続形態もある。
【０００４】
ここで、電話機１及びＶｏＩＰ網接続装置３間は、音声信号をアナログ音声信号で伝送するアナログ区間であり、両ＶｏＩＰ網接続装置３及び６間は、音声信号をＩＰパケットで伝送するＶｏＩＰ区間であり、ＶｏＩＰ網接続装置６及びＩＰ端末収容装置５はアナログ区間であり、ＩＰ端末収容装置５及び無線ＩＰ端末４間はＶｏＩＰ区間である。
【発明の開示】
【発明が解決しようとする課題】
【０００５】
ＩＰパケット伝送では遅延時間が大きく、エコーの影響が重畳されると、音質が一段と低下する恐れがある。そのため、ＩＰパケットを終端するような装置では、エコーキャンセラが搭載されている。
【０００６】
例えば、無線ＩＰ端末４がＩＳＤＮ網接続端末であり、ＩＰ端末収容機能を有したＩＰ端末収容装置５を介して通話を行う場合であれば、無線ＩＰ端末４とＩＰ端末収容装置５とでエコーキャンセラを動作させ、無線ＩＰ端末４に向かう音声信号のエコー成分をＩＰ端末収容装置５で除去し、一方、無線ＩＰ端末４からの音声信号におけるエコー成分を無線ＩＰ端末４が除去する。
【０００７】
また例えば、ＩＳＤＮインタフェース（Ｓ／Ｔ点インタフェース）機能を有するＶｏＩＰ網接続装置３、６は、配下に接続した装置２、５により通話呼を接続すると、それぞれエコーキャンセラを動作させ、通話エコーをキャンセルしている。
【０００８】
従って、無線ＩＰ端末４から電話機１への音声信号は、無線ＩＰ端末４においてエコー成分がキャンセルされると共に、ＶｏＩＰ網接続装置６においてもエコー成分がキャンセルされる。電話機１から無線ＩＰ端末４への音声信号は、ＶｏＩＰ網接続装置３においてエコー成分がキャンセルされると共に、無線ＩＰ端末４においてエコー成分がキャンセルされると共に、ＩＰ端末収容装置５においてもエコー成分がキャンセルされる。
【０００９】
すなわち、無線ＩＰ端末４から電話機１への音声信号が電話機１に到達するときには、無線ＩＰ端末４によるエコー成分の除去と、ＶｏＩＰ網接続装置６によるエコー成分の除去との２回のエコー成分の除去がなされ、後段でのＶｏＩＰ網接続装置６によるエコー成分の除去によって却って音声信号の品質を低下させる。エコーキャンセラが適応動作するとは言え、後段でのＶｏＩＰ網接続装置６のエコーキャンセラがほぼエコー成分を除去しないように動作するまでには長時間を有し、それまでの期間で、不必要なエコーキャンセルが継続する。同様に、電話機１から無線ＩＰ端末４への音声信号が無線ＩＰ端末４に到達するときには、ＶｏＩＰ網接続装置３によるエコー成分の除去と、ＩＰ端末収容装置５によるエコー成分の除去との２回のエコー成分の除去がなされ、後段でのＩＰ端末収容装置５によるエコー成分の除去によって却って音声信号の品質を低下させる。
【００１０】
そのため、同一方向の音声信号に対するエコー除去を行うエコーキャンセラを有する通信装置が、通話路上に複数介在していても、音声信号の良好な品質を実現できる通信システムが望まれている。
【課題を解決するための手段】
【００１１】
かかる課題を解決するため、本発明は、同一方向の音声信号に対するエコー除去を行うエコーキャンセラを有する通信装置が、通話路上に複数介在し得る通信システムにおいて、（１）通話路確立を行う端末間では通話路上にエコーキャンセラを有する通信装置が複数介在することを判断して自己が搭載するエコーキャンセラを停止させると共に、逆方向のエコー成分を除去する他の通信装置に対し、その他の通信装置が搭載しているエコーキャンセラの停止要求を送出する第１の通信装置と、（２）上記第１の通信装置からの停止要求の受信により、自己のエコーキャンセラを停止させる第２の通信装置とを有することを特徴とする。
【発明の効果】
【００１２】
本発明によれば、第１の通信装置が、通話路確立を行う端末間では、通話路上にエコーキャンセラを有する通信装置が複数介在することを判断すると、自己が搭載するエコーキャンセラを停止させると共に、逆方向のエコー成分を除去する第２の通信装置に対し、その第２の通信装置が搭載しているエコーキャンセラの停止要求を送出して、第２の通信装置のエコーキャンセラも停止させるようにしたので、エコー成分の除去動作が重複して実行されることを未然に防止でき、通信品質の低下を抑えることができる。
【発明を実施するための最良の形態】
【００１３】
（Ａ）実施形態
以下、本発明による通信システムの一実施形態を図面を参照しながら詳述する。
【００１４】
図１は、この実施形態に係る通信システムの各装置の接続形態を示すブロック図であり、上述した図２との対応部分には同一符号を付して示している。
【００１５】
図１において、この実施形態の通信システムも、構成要素として、電話機１、ＩＳＤＮ接続装置２、ＶｏＩＰ網接続装置３、無線ＩＰ端末４、ＩＰ端末収容装置５及びＶｏＩＰ網接続装置６を有する。
【００１６】
この実施形態の場合、一方のＶｏＩＰ網接続装置６は、ＶｏＩＰ網７とのＶｏＩＰ回線だけでなく、公衆電話網（ＰＳＴＮ）８又はＩＳＤＮ回線等を利用するライフラインを収容している。すなわち、ＶｏＩＰ網接続装置６単独でも、緊急発信（１１０、１１９など）などのライフライン通話に対応するためにライフラインを収容している。
【００１７】
また、この実施形態の場合、図３に示すように、ＩＳＤＮインタフェースを有したＶｏＩＰ網接続装置６と、ＩＳＤＮインタフェースを有したＩＰ端末収容装置５とをＳ／Ｔインタフェースで接続している。
【００１８】
ＩＰ端末収容装置５は、図４に示すように、呼シーケンス制御部１０が、無線ＩＰ端末４に向かう音声信号のエコー成分を除去するエコーキャンセラ１１の動作をオンオフ制御できるようになされており、ＶｏＩＰ網接続装置６も、図５に示すように、呼シーケンス制御部２０が、ＶｏＩＰ網７に向かう音声信号のエコー成分を除去するエコーキャンセラ２１の動作をオンオフ制御できるようになされている。
【００１９】
図６は、電話機１及び無線ＩＰ端末４間の通話時に介在するエコーキャンセラの位置の説明図である。
【００２０】
電話機１から無線ＩＰ端末４への音声信号の経路上には、ＶｏＩＰ網接続装置３のエコーキャンセラ３１と、ＩＰ端末収容装置５のエコーキャンセラ１１とが介在しており、また、無線ＩＰ端末４から電話機１への音声信号の経路上には、無線ＩＰ端末４のエコーキャンセラ３０と、ＶｏＩＰ網接続装置６のエコーキャンセラ２１とが介在している。
【００２１】
この実施形態では、電話機１及び無線ＩＰ端末４間の通話時には、ＩＰ端末収容装置５のエコーキャンセラ１１と、ＶｏＩＰ網接続装置６のエコーキャンセラ２１のエコー除去動作を停止（オフ）させ、各方向の音声信号の経路上で有効に動作するエコーキャンセラをそれぞれ１個（３１、３０）ずつに制御することとした。
【００２２】
なお、図７は、無線ＩＰ端末４によるライフライン通話時に介在するエコーキャンセラの位置の説明図である。
【００２３】
ライフラインはアナログ区間であるので、ＶｏＩＰ網接続装置６のエコーキャンセラ２１はこの経路に介在せず、無線ＩＰ端末４への音声信号経路では、ＩＰ端末収容装置５のエコーキャンセラ１１のみが機能し、無線ＩＰ端末４からの音声信号経路では、無線ＩＰ端末４のエコーキャンセラ３０のみが機能する。
【００２４】
以上のように、通話相手等に応じて、機能させるエコーキャンセラが異なるので、通話路確立用の呼シーケンスを通じて、各呼毎に、エコーキャンセラ１１及び２１のオンオフ等を制御することとした。
【００２５】
この実施形態では、ＩＰ端末収容装置５のエコーキャンセラ１１及びＶｏＩＰ網接続装置６のエコーキャンセラ２１の動作制御を、回線交換呼制御手順（ＴＴＣ標準ＪＴ−Ｑ９３１）のユーザが特有に定義可能な制御メッセージのプロトコルを使用して行う。
【００２６】
図８は、エコーキャンセラの制御内容の説明図であり、図８（Ａ）は、ＩＰ端末収容装置５からＶｏＩＰ網接続装置６に対する制御内容を示し、図８（Ｂ）は、ＶｏＩＰ網接続装置６からＩＰ端末収容装置５に対する通知内容（制御内容）を示している。
【００２７】
ＩＰ端末収容装置５がＶｏＩＰ網接続装置６に対して、「ＶｏＩＰ接続確認要求」を発行すると、ＶｏＩＰ網接続装置６は、ＶｏＩＰ回線接続時に、「ＶｏＩＰ回線接続表示」をＩＰ端末収容装置５に返送する。但し、該当呼番号が存在しないときやライフライン接続時には、ＶｏＩＰ網接続装置６は、「ＶｏＩＰ接続確認要求」を無視する。
【００２８】
また、ＩＰ端末収容装置５がＶｏＩＰ網接続装置６に対して、「起動要求」を発行すると、ＶｏＩＰ網接続装置６は、停止中のエコーキャンセラ２１を起動する。但し、該当呼番号が存在しないときや動作中での受信時には、ＶｏＩＰ網接続装置６は、「起動要求」を無視する。
【００２９】
さらに、ＩＰ端末収容装置５がＶｏＩＰ網接続装置６に対して、「停止要求」を発行すると、ＶｏＩＰ網接続装置６は、動作中のエコーキャンセラ２１を停止する。但し、該当呼番号が存在しないときや停止中での受信時には、ＶｏＩＰ網接続装置６は、「停止要求」を無視する。
【００３０】
さらにまた、ＩＰ端末収容装置５がＶｏＩＰ網接続装置６に対して、「リセット要求」を発行すると、ＶｏＩＰ網接続装置６は、動作中のエコーキャンセラ２１をリセットする（初期状態からエコー除去をやり直す）。但し、該当呼番号が存在しないときや停止中での受信時には、ＶｏＩＰ網接続装置６は、「リセット要求」を無視する。
【００３１】
ＶｏＩＰ網接続装置６からＩＰ端末収容装置５への上述した「ＶｏＩＰ回線接続表示」を受信したときには、ＩＰ端末収容装置５は、以下の制御を行う。ＩＰ端末収容装置５は、呼設定後にこの通知を受信した場合には、ＶｏＩＰ網接続装置６へのエコーキャンセラ制御を開始し、自己（ＩＰ端末収容装置５）のエコーキャンセラ１１は呼復旧まで停止させる。また、ＩＰ端末収容装置５は、「ＶｏＩＰ接続確認要求」に対する「ＶｏＩＰ回線接続表示」を受信しない場合には、ＶｏＩＰ網接続装置６へのエコーキャンセラ制御を実行せず、自己（ＩＰ端末収容装置５）のエコーキャンセラ１１は通常動作させる。
【００３２】
ＶｏＩＰ網接続装置６は、図９（Ａ）の第１欄に示すように、ＶｏＩＰ接続中において、ＩＰ端末収容装置５からの「ＶｏＩＰ接続確認要求」を受信したときには、「ＶｏＩＰ接続表示」をＩＰ端末収容装置５に通知する。
【００３３】
また、ＶｏＩＰ網接続装置６は、図９（Ａ）の第２欄に示すように、現状動作状態がＶｏＩＰによる通話呼の接続時であって、ＶｏＩＰ接続でエコーキャンセラ２１の停止中にＩＰ端末収容装置５からの「エコーキャンセラ起動要求」を受信したときに、エコーキャンセラ２１を起動させる。
【００３４】
さらに、ＶｏＩＰ網接続装置６は、図９（Ａ）の第３欄に示すように、現状動作状態がＶｏＩＰ接続呼の終話時であって、ＶｏＩＰ接続でエコーキャンセラ２１の起動中にＩＰ端末収容装置５からの「エコーキャンセラ停止要求」を受信したときに、エコーキャンセラ２１を停止させる。
【００３５】
さらにまた、ＶｏＩＰ網接続装置６は、図９（Ａ）の第４欄に示すように、エコーキャンセラ２１の起動中にＩＰ端末収容装置５からの「エコーキャンセラリセット要求」を受信したときに、エコーキャンセラ２１をリセットさせる。
【００３６】
ＩＰ端末収容装置５は、図９（Ｂ１）に示すように、収容している無線ＩＰ端末４からの発信時であれば、ＶｏＩＰ網接続装置６から「呼設定受付」（ＣＡＬＬ  ＰＲＯＣ）メッセージを受信したときに、ＶｏＩＰ網接続装置６に対して「ＶｏＩＰ接続確認要求」メッセージを送出し、収容している無線ＩＰ端末４への着信時であれば、ＶｏＩＰ網接続装置６から「呼設定」（ＳＥＴＵＰ）メッセージを受信したときに、ＶｏＩＰ網接続装置６に対して「ＶｏＩＰ接続確認要求」メッセージを送出する。
【００３７】
また、ＩＰ端末収容装置５は、図９（Ｂ２）に示すように、収容している無線ＩＰ端末４からの発信時であれば、ＶｏＩＰ網接続装置６からの「応答」（ＣＯＮＮＥＣＴ）メッセージの受信前まで、ＶｏＩＰ網接続装置６からの「ＶｏＩＰ接続表示」メッセージを待ち受け、収容している無線ＩＰ端末４への着信時であれば、ＶｏＩＰ網接続装置６からの「応答確認」（ＣＯＮＮＥＣＴ  ＡＣＫ）メッセージの受信前まで、ＶｏＩＰ網接続装置６からの「ＶｏＩＰ接続表示」メッセージを待ち受け、待ち受け期間を超えても「ＶｏＩＰ接続表示」メッセージが到来しないときには、受信しなかったとして、上述した動作を行う。
【００３８】
ＶｏＩＰ網接続装置６へのそのエコーキャンセラ２１を制御する、「ＶｏＩＰ接続確認要求」メッセージや、「ＶｏＩＰ接続表示」メッセージや、「起動要求」、「停止要求」、「リセット要求」等のエコーキャンセラの制御メッセージ等は、回線交換呼制御手順（ＴＴＣ標準ＪＴ−Ｑ９３１）のメッセージフォーマットに従っており、それぞれの一例を、図１０、図１１、図１２に示している。
【００３９】
図１０〜図１２において、メッセージ種別のフィールドに、付加情報「ＩＮＦＯＲＭＡＴＩＯＮ」を挿入することで、「ＶｏＩＰ接続確認要求」メッセージ、「ＶｏＩＰ接続表示」メッセージ、エコーキャンセラの制御メッセージの特有情報を挿入し得るようにしている。また、情報要素は、「固定シフト：コード群７（ユーザ特有の情報要素）」を使用し、可変長情報要素で定義している。
【００４０】
エコーキャンセラの制御メッセージについて補足説明する。図１２（Ａ）に示すように、ユーザ特有の情報要素としてエコーキャンセラ制御のフィールドＥＣＣを設け、その中、エコーキャンセラ制御内容を表す制御ビット（２ビット）ＣＢも用意しておく。そして、例えば、図１２（Ｂ）に示すように、制御ビットＣＢの「００」は「制御なし」を意味させ、制御ビットＣＢの「０１」は「停止要求」を意味させ、制御ビットＣＢの「１０」は「起動要求」を意味させ、制御ビットＣＢの「１１」は「リセット要求」を意味させる。
【００４１】
次に、無線ＩＰ端末４からの発信時におけるＩＰ端末収容装置５及びＶｏＩＰ網接続装置６間の呼確立（通話路確立）時の呼シーケンスを、図１３のシーケンス図を参照しながら説明する。
【００４２】
ＩＰ端末収容装置５は、無線ＩＰ端末４から「呼設定」（ＳＥＴＵＰ）メッセージ（図示せず）が与えられると、ＶｏＩＰ網接続装置６に対して「呼設定」（ＳＥＴＵＰ）メッセージを送出する（Ｓ１）。これに応じて、ＶｏＩＰ網接続装置６は、ＶｏＩＰ網７に対してＶｏＩＰ発信すると共に、ＩＰ端末収容装置５に対して、「呼設定受付」（ＣＡＬＬ  ＰＲＯＣ）メッセージを返信する（Ｓ２）。
【００４３】
このとき、ＩＰ端末収容装置５は、情報（ＩＮＦＯ）メッセージの一つである「ＶｏＩＰ接続確認要求」メッセージをＶｏＩＰ網接続装置６に送出し（Ｓ３）、ＶｏＩＰ網接続装置６はＶｏＩＰ接続中での受信であるので、情報（ＩＮＦＯ）メッセージの一つである「ＶｏＩＰ接続表示」メッセージをＩＰ端末収容装置５に返信する（Ｓ４）。なお、ライフライン接続時であれば、ＶｏＩＰ網接続装置６は「ＶｏＩＰ接続表示」メッセージの返信を実行しない。
【００４４】
ＶｏＩＰ網接続装置６は、ＶｏＩＰ網７からの相手呼出中の通知（図示せず）により、ＩＰ端末収容装置５に対して、「呼出」（ＡＬＥＲＴ）メッセージを送出し（Ｓ５）、また、ＶｏＩＰ網７からの相手応答（図示せず）の通知により、ＩＰ端末収容装置５に対して、「応答」（ＣＯＮＮＥＣＴ）メッセージを送出する（Ｓ６）。このとき、ＩＰ端末収容装置５は、「応答確認」（ＣＯＮＮＥＣＴ  ＡＣＫ）メッセージをＶｏＩＰ網接続装置６に返信する（Ｓ７）。
【００４５】
ＶｏＩＰ網接続装置６は「応答確認」メッセージの受信により、呼接続が確立したとして一旦は自律的にエコーキャンセラ２１をオンにする。
【００４６】
ＩＰ端末収容装置５は、ＶｏＩＰ網７を介したＶｏＩＰ接続の確立により、自己のエコーキャンセラ１１をオフすると共に、情報（ＩＮＦＯ）メッセージの一つである「停止要求」のエコーキャンセラ制御メッセージをＶｏＩＰ網接続装置６に送信する（Ｓ８）。このとき、ＶｏＩＰ網接続装置６は、「停止要求」のエコーキャンセラ制御メッセージの受信により、オンしていたエコーキャンセラ２１をオフ（停止）する。
【００４７】
図１３に示すような呼シーケンスを通じて、図６に示すように位置しているエコーキャンセラ１１、２１、３０、３１のうち、エコーキャンセラ１１及び２１が動作を停止し、各方向について、それぞれ１個ずつのエコーキャンセラ３０、３１だけが音声信号のエコー成分の除去動作を実行する。
【００４８】
次に、無線ＩＰ端末４への着信時におけるＩＰ端末収容装置５及びＶｏＩＰ網接続装置６間の呼確立（通話路確立）時の呼シーケンスを、図１４のシーケンス図を参照しながら説明する。
【００４９】
ＶｏＩＰ網接続装置６は、ＶｏＩＰ網７からＶｏＩＰ着信が通知されると（図示せず）、ＩＰ端末収容装置５に対して「呼設定」（ＳＥＴＵＰ）メッセージを送出する（Ｓ１１）。これに応じて、ＩＰ端末収容装置５は、無線ＩＰ端末４に対する着信通知を行うと共に（図示せず）、ＶｏＩＰ網接続装置６に対して、「呼設定受付」（ＣＡＬＬ  ＰＲＯＣ）メッセージを返信する（Ｓ１２）。
【００５０】
その後、ＩＰ端末収容装置５は、情報（ＩＮＦＯ）メッセージの一つである「ＶｏＩＰ接続確認要求」メッセージをＶｏＩＰ網接続装置６に送出し（Ｓ１３）、ＶｏＩＰ網接続装置６はＶｏＩＰ接続中での受信であるので、情報（ＩＮＦＯ）メッセージの一つである「ＶｏＩＰ接続表示」メッセージをＩＰ端末収容装置５に返信する（Ｓ１４）。なお、ライフライン接続時であれば、ＶｏＩＰ網接続装置６は「ＶｏＩＰ接続表示」メッセージの返信を実行しない。
【００５１】
ＩＰ端末収容装置５は、無線ＩＰ端末４からの呼出中の通知（図示せず）により、ＶｏＩＰ網接続装置６に対して、「呼出」（ＡＬＥＲＴ）メッセージを送出し（Ｓ１５）、また、無線ＩＰ端末４からのオフフック応答（図示せず）の通知により、ＶｏＩＰ網接続装置６に対して、「応答」（ＣＯＮＮＥＣＴ）メッセージを送出する（Ｓ１６）。ＶｏＩＰ網接続装置６は、「応答」メッセージの受信により、着信側端末との間で呼接続が確立したとして一旦は自律的にエコーキャンセラ２１をオンにする共に、ＶｏＩＰ網７側の応答確認の通知（図示せず）を待って「応答確認」（ＣＯＮＮＥＣＴ  ＡＣＫ）メッセージをＩＰ端末収容装置５に返信する（Ｓ１７）。
【００５２】
ＩＰ端末収容装置５は、ＶｏＩＰ網７を介したＶｏＩＰ接続の確立により、自己のエコーキャンセラ１１をオフすると共に、情報（ＩＮＦＯ）メッセージの一つである「停止要求」のエコーキャンセラ制御メッセージをＶｏＩＰ網接続装置６に送信する（Ｓ１８）。このとき、ＶｏＩＰ網接続装置６は、「停止要求」のエコーキャンセラ制御メッセージの受信により、オンしていたエコーキャンセラ２１をオフ（停止）する。
【００５３】
図１４に示すような呼シーケンスを通じて、図６に示すように位置しているエコーキャンセラ１１、２１、３０、３１のうち、エコーキャンセラ１１及び２１が動作を停止し、各方向について、それぞれ１個ずつのエコーキャンセラ３０、３１だけが音声信号のエコー成分の除去動作を実行する。
【００５４】
以上のように、エコーキャンセラが重複動作することを回避するには、ローカル側のＶｏＩＰ網接続装置６とＩＰ端末収容装置５のエコーキャンセラをともに停止させる必要がある。
【００５５】
但し、ＩＰ端末収容装置５が収容しているＩＰ端末以外の端末で通話を行う場合は、ＩＰ端末収容装置５ではエコーキャンセラを動作させないので、ＶｏＩＰ網接続装置６のエコーキャンセラを動作させる必要がある。
【００５６】
これらの条件を満たすためには、ＩＰ端末収容装置５をＶｏＩＰ網接続装置６に接続する場合、通話を行う端末の種別によりＶｏＩＰ網接続装置６のエコーキャンセラの動作を制御（動作／停止）する必要がある。
【００５７】
一方、ＶｏＩＰ網接続装置６がＶｏＩＰ回線のほかに、ライフラインを収容している場合、ＶｏＩＰ網接続装置６がライフラインを使用して呼接続したときには、通話を行う端末の種別により、ＶｏＩＰ網接続装置６のエコーキャンセラ２１を制御する必要はなく、従来のＩＰ端末収容装置５と同じ動作を行う必要がある。
【００５８】
これを実現するために、上述のように、発着信時にＶｏＩＰ網接続装置６からＩＰ端末収容装置５に対して、ＶｏＩＰ回線使用の有無を通知する必要があり、それに応じて、ＩＰ端末収容装置５がＶｏＩＰ網接続装置６のエコーキャンセラを制御している。
【００５９】
上記実施形態によれば、ＩＰ端末収容装置５及びＶｏＩＰ網接続装置６の呼シーケンス時のメッセージ授受を通じて、ＩＰ端末収容装置５及びＶｏＩＰ網接続装置６がＶｏＩＰ網７を介した通信時には、それぞれのエコーキャンセラ１１、２１を停止させるようにしたので、各方法のそれぞれについて、複数のエコーキャンセラが動作することを防止でき、複数のエコーキャンセラの存在による音声通信品質の低下を未然に防止することができる。
【００６０】
また、ＶｏＩＰ網接続装置６の配下には、ＩＰ端末収容装置５だけでなく他の装置も接続される可能性があり、また、ＶｏＩＰ網接続装置６がライフライン通話路を接続することもあり、このような状況においては、ＩＰ端末収容装置５が主導権をとってエコーキャンセラ制御することにより、エコーキャンセラ制御を適切に実行させることができる。
【００６１】
（Ｂ）他の実施形態
図１では、ＩＰ端末収容装置５が無線ＩＰ端末４を１個のみ収容しているように記載しているが、ＩＰ端末収容装置５が複数の無線ＩＰ端末４を収容し、ＰＢＸ的に機能するものであっても良い。なお、ＩＰ端末収容装置５及び無線ＩＰ端末４は、例えば、宅内装置として実現される。
【００６２】
また、ＩＰ端末収容装置５が有線によってＩＰ端末（６）に接続されるものであっても良い。
【００６３】
図１とは異なり、図１の電話機１側の構成も、ＩＰ端末収容装置（５に対応）及びＶｏＩＰ網接続装置３の組み合わせの場合には、この組み合わせのＩＰ端末収容装置（５に対応）及びＶｏＩＰ網接続装置３間でも、上記の呼シーケンスと同様な処理を行い、エコーキャンセラを停止させれば良い。
【００６４】
上記実施形態においては、ＶｏＩＰ網７を介した通信システムに本発明を適用したものを示したが、同様なエコーキャンセラの課題が生じる他の通信システムに対しても本発明を適用することができる。例えば、人工衛星を利用した国際通信のような場合にも、端末間の通話路における各区間の種類が異なり、各部のエコーキャンセラが重複動作するので、本発明を適用することができる。
【図面の簡単な説明】
【００６５】
【図１】実施形態のＶｏＩＰ網を利用して通話に供する端末間の接続形態例を示すブロック図である。
【図２】従来の課題説明のために、ＶｏＩＰ網を利用して通話に供する端末間の接続形態の一例を示すブロック図である。
【図３】実施形態のＩＰ端末収容装置及びＶｏＩＰ網接続装置間のインタフェースの説明図である。
【図４】実施形態のＩＰ端末収容装置の内部の要部構成を示すブロック図である。
【図５】実施形態のＶｏＩＰ網接続装置の内部の要部構成を示すブロック図である。
【図６】実施形態のＶｏＩＰ網利用時に介在するエコーキャンセラ位置の説明図である。
【図７】実施形態のライフライン通話時に介在するエコーキャンセラ位置の説明図である。
【図８】実施形態のエコーキャンセラの制御内容の説明図である。
【図９】実施形態のエコーキャンセラの制御条件の説明図である。
【図１０】実施形態の「ＶｏＩＰ接続確認要求」メッセージのフォーマット例を示す説明図である。
【図１１】実施形態の「ＶｏＩＰ接続表示」メッセージのフォーマット例を示す説明図である。
【図１２】実施形態の「エコーキャンセラ制御」メッセージのフォーマット例を示す説明図である。
【図１３】実施形態の無線ＩＰ端末からの発信時のＩＰ端末収容装置及びＶｏＩＰ網接続装置間の呼シーケンス図である。
【図１４】実施形態の無線ＩＰ端末への着信時のＩＰ端末収容装置及びＶｏＩＰ網接続装置間の呼シーケンス図である。
【符号の説明】
【００６６】
３、６…ＶｏＩＰ網接続装置（第２の通信装置）、４…無線ＩＰ端末、５…ＩＰ端末収容装置（第１の通信装置）、１１、２１、３０、３１…エコーキャンセラ。
【図１】
2005184256.tif 000003
【図２】
2005184256.tif 000004
【図３】
2005184256.tif 000005
【図４】
2005184256.tif 000006
【図５】
2005184256.tif 000007
【図６】
2005184256.tif 000008
【図７】
2005184256.tif 000009
【図８】
2005184256.tif 000010
【図９】
2005184256.tif 000011
【図１０】
2005184256.tif 000012
【図１１】
2005184256.tif 000013
【図１２】
2005184256.tif 000014
【図１３】
2005184256.tif 000015
【図１４】
2005184256.tif 000016